(57)【要約】【課題】  極めて簡易な構成から成る部分強調看板及びそれに用いるポスターを提供する。【解決手段】本考案の部分強調看板は、ポスター（４）と、ポスターの裏面側に照明ユニット（３）とを有する部分強調看板において、ポスター（４）は、強調しようとする部分のみ透光性を有し、他の部分は遮光処理されていることを特徴とする。当該構成により、強調させようとする部分を、非常に高いコントラストで目立たせることができると同時に、ポスターに描かれている文字や絵などを良好に認識可能にすることができる。【選択図】図１
0003221219.tif 000002
【実用新案登録請求の範囲】
【請求項１】
ポスターと、当該ポスターの裏面側に照明ユニットとを有する部分強調看板において、
前記ポスターは、強調しようとする部分のみ透光性を有し、他の部分は遮光処理されていることを特徴とする部分強調看板。
【請求項２】
前記ポスターは、透光性を有する材料でできており、前記強調しようとする部分以外の部分の裏面全てに遮光印刷が施されている、請求項１に記載の部分強調看板。
【請求項３】
前記ポスターは、透光性のシートの表面又は裏面に、伝えようとする内容が印刷されており、前記照明ユニットに最も近い面の、前記強調しようとする部分以外の部分全てに遮光印刷が施されている、請求項２に記載の部分強調看板。
【請求項４】
前記透光性のシートは、透光性のカラーシートである、請求項３に記載の部分強調看板。
【請求項５】
前記ポスターは、遮光性のシートの表面に、伝えようとする内容が印刷されており、かつ、前記シートの内、強調しようとする部分が除去されている、請求項１に記載の部分強調看板。
【請求項６】
前記ポスターは、前記遮光性のシートの除去されている部分に、透明のフィルムが設けてある、請求項５に記載の部分強調看板。
【請求項７】
ポスターの裏面側を照射する照明ユニットを有する部分強調看板用のポスターであって、
強調しようとする部分のみ透光性を有し、他の部分は遮光処理されていることを特徴とするポスター。
【請求項８】
透光性を有する材料でできており、前記強調しようとする部分以外の部分の裏面全てに遮光印刷が施されていることを特徴とする請求項７に記載のポスター。
【請求項９】
透光性のシートの表面又は裏面に、伝えようとする内容が印刷されており、前記照明ユニットに最も近い面の、前記強調しようとする部分以外の部分全てに遮光印刷が施されている、請求項７に記載のポスター。
【請求項１０】
前記透光性のシートは、透光性のカラーシートである、請求項９に記載のポスター。
【請求項１１】
遮光性のシートの表面に、伝えようとする内容が印刷されており、かつ、前記シートの内、ポスターで強調しようとする部分が除去されている、請求項７に記載のポスター。
【請求項１２】
前記遮光性のシートの除去されている部分に、透明のフィルムが設けてある、請求項１１に記載のポスター。
【考案の詳細な説明】
【技術分野】
【０００１】
本考案は、ポスターの内、看者に注目して欲しい一部分を強調する部分強調看板及び当該看板に用いるポスターに関する。
【背景技術】
【０００２】
従来、部分強調看板として、ポスターの裏面側に照明ユニットを備える他、ポスター表面に開けた孔に光ファイバーを取り付けて部分強調するものが知られている。
【先行技術文献】
【特許文献】
【０００３】
【特許文献１】実開平４−１３３２８１号公報
【考案の概要】
【考案が解決しようとする課題】
【０００４】
照明ユニットの他に、光ファイバーを発光させる装置を追加すると、コスト高につながる。また、液晶ディスプレイ及び画像表示装置を用いれば、部分強調表示は可能であるが、システムが複雑でよりコスト高となる。
【０００５】
本考案は、上記従来例の問題を解決するためになされたものであり、極めて簡易な構成から成る部分強調看板及び当該看板に用いるポスターを提供することを目的とする。
【課題を解決するための手段】
【０００６】
上記目的を達成するために本考案の部分強調看板は、ポスターと、当該ポスターの裏面側に照明ユニットとを有する部分強調看板において、前記ポスターは、強調しようとする部分のみ透光性を有し、他の部分は遮光処理されていることを特徴とする。
【０００７】
前記ポスターは、透光性を有する材料でできており、前記強調しようとする部分以外の部分の裏面全てに遮光印刷が施されていることが好ましい。
【０００８】
前記ポスターは、透光性のシートの表面又は裏面に、伝えようとする内容が印刷されており、前記照明ユニットに最も近い面の、前記強調しようとする部分以外の部分全てに遮光印刷が施されていることが好ましい。
【０００９】
前記透光性のシートは、透光性のカラーシートであることが好ましい。
【００１０】
前記ポスターは、遮光性のシートの表面に、伝えようとする内容が印刷されており、かつ、前記シートの内、強調しようとする部分が除去されていることが好ましい。
【００１１】
また、本考案のポスターは、ポスターの裏面側を照射する照明ユニットを有する部分強調看板用のポスターであって、強調しようとする部分のみ透光性を有し、他の部分は遮光処理されていることが好ましい。
【００１２】
透光性を有する材料でできており、前記強調しようとする部分以外の部分の裏面全てに遮光印刷が施されていることが好ましい。
【００１３】
透光性のシートの表面又は裏面に、伝えようとする内容が印刷されており、前記照明ユニットに最も近い面の、前記強調しようとする部分以外の部分全てに遮光印刷が施されていることが好ましい。
【００１４】
前記透光性のシートは、透光性のカラーシートであることが好ましい。
【００１５】
遮光性のシートの表面に、伝えようとする内容が印刷されており、かつ、前記シートの内、ポスターで強調しようとする部分が除去されていることが好ましい。
【００１６】
前記遮光性のシートの除去されている部分に、透明のフィルムが設けてあることが好ましい。
【考案の効果】
【００１７】
本考案の部分強調看板によれば、ポスターは照明ユニットからの光が透光性を有する部分だけを通過するので、従来の照明ユニットを有している看板本体にセットして用いるだけで、強調させようとする部分を、非常に高いコントラストで目立たせることができる。
【図面の簡単な説明】
【００１８】
【図１】本考案の一実施の形態に係る部分強調看板の分解斜視図。
【図２】部分強調看板で用いるポスター本体の構成を示す断面図。
【図３】ポスター本体の変形例の構成を示す断面図。
【図４】別の実施形態に係るポスター本体の構成を示す断面図。
【図５】別の実施形態に係るポスター本体の構成を示す断面図。
【考案を実施するための形態】
【００１９】
本考案の部分強調看板は、強調しようとする部分のみ透光性を有し、他の部分は遮光処理されているポスターを用いることを特徴とする。当該構成を採用することにより、例えば、日中、液晶ディスプレイを用いる看板で、一部分の輝度を明るくする場合に比べ、強調させようとする部分を非常に高いコントラストで目立たせることができる。更に、強調させない部分も、周りの明るさによって十分に細かいところまで目視確認できる、という利点も併せ持つ。
【００２０】
本考案の一実施形態に係る部分強調看板について説明する。図1は、部分強調看板１の分解斜視図である。部分強調看板１は、看板本体２と、照明ユニット３と、伝えようとする内容が印刷されているポスター４と、透明保護カバー５とで構成されている。看板本体２は、上側に矩形の開口２ａを有している矩形容器形状で、照明ユニット３とポスター４との間に、照明効率、発熱からの保護等を考慮して決められる間隔を確保する深さを有している。また、看板本体２の開口２ａの内側上縁には、ポスター４を嵌合させる段２ｂが設けられている。開口２ａは、ポスター４を段２ｂに嵌合収納した後に透明保護カバー５によって封止される。透明保護カバー５は、ポスター４をしっかりと保護するが、取り外し容易な接着剤又は着脱可能な取付具等によって、取り付けられている。
【００２１】
ポスター４は、ポスター本体４ａと、ポスター本体４ａの下側に敷かれてポスター本体４ａを平らに保持する、透光性を有している透明又は乳白アクリル製のポスター保持板４ｂと、で構成されている。
【００２２】
ポスター本体４ａは、照明ユニット３からの照明に対し、強調しようとする部分、本図では「ＳＡＬＥ」の文字部分のみ透光性を有し、他の部分は遮光処理されている。
【００２３】
図２は、図１に示したポスター本体４ａのＡ−Ａ’断面図を示す。理解の容易のため、ポスター本体４ａの「ＳＡＬＥ」の文字部分に設けられている開口部分を解りやすく示す。ポスター本体４ａは、透光性を有し、強調しようとする部分に開口４ｃが切り欠き処理によって設けられている紙又は布製のポスター部４ｄと、当該ポスター部４ｄの裏面（図面下側）の、開口４ｃ以外の部分に印刷された、遮光性の遮光印刷面４ｄと、で構成されている。図２では、理解の容易のため、遮光印刷面４ｄを実際よりも厚みのあるものとして示している。開口４ｃは、遮光印刷時に特にマスクなどを設けていなくても印刷されないので、処理しやすい。
【００２４】
ポスター本体４ａの変形例としては、遮光性のシートの表面に、伝えようとする内容が印刷されており、かつ、前記シートの内、ポスターで強調しようとする部分が除去されているものでも良い。
【００２５】
図３は、ポスター本体４ａの変形例に係るポスター本体１０のＡ−Ａ’断面図を示す。ポスター本体１０は、切り欠き処理などで、強調したい部分に開口１０ａを設けた遮光性の遮光シート１０ｂと、その表面（図面上側）の開口１０ａと重なる部分以外の部分に、伝えようとする内容が印刷されているポスター印刷面１０ｃと、で構成されている。図３では、理解の容易のため、ポスター印刷面１０ｃを実際よりも厚みのあるものとして示している。遮光シート１０ｂの除去されている開口１０ａの部分には、透明のフィルムを設けてもよい。
【００２６】
ポスター本体４ａの別の実施形態としては、透光性のシートの表面又は裏面に、伝えようとする内容が印刷されており、前記照明ユニットに最も近い面の、前記強調しようとする部分以外の部分全てに遮光印刷が施されているものでも良い。
【００２７】
図４は、別の実施形態に係るポスター本体１１のＡ−Ａ’断面図を示す。ポスター本体１１は、透光性の透明シート１１ａと、伝えようとする内容の内、強調したい部分に開口１１ｂを設けて、透明シート１１ａの表面（図面上側）に印刷したポスター印刷面１１ｃと、その裏面に、開口１１ｂと重なる部分以外の部分に印刷した遮光印刷面１１ｄと、で構成されている。透明シート１１ａは、透光性のカラーシートを用いても良い。図４では、理解の容易のため、ポスター印刷面１１ｃと、遮光印刷面１１ｄを実際よりも厚みのあるものとして示してある。
【００２８】
図５は、別の実施形態に係るポスター本体１２のＡ−Ａ’断面図を示す。ポスター本体１２は、透光性の透明シート１２ａと、伝えようとする内容の内、強調したい部分に開口１２ｂを設けて、透明シート１２ａの裏面（図面下側）に印刷したポスター印刷面１２ｃと、さらに、ポスター印刷面１２ｃに重ね塗りするように、開口１２ｂと重なる部分以外の部分に印刷した遮光印刷面１２ｄと、で構成されている。透明シート１２ａは、透光性のカラーシートを用いても良い。図５では、理解の容易のため、ポスター印刷面１２ｃと、遮光印刷面１２ｄを実際よりも厚みのあるものとして示してある。
【００２９】
上記のポスター本体４ａ、１０、１１、１２、１３の何れかと、ポスター保持板４ｂと、で構成されるポスター４を用いる部分強調看板は、強調させようとする部分を非常に高いコントラストで目立たせることができる。同時に、例えば、日中及び照明の付いている商店街の中であれば、ポスターに描かれている文字や絵などを良好に認識可能にすることができる。例えば、同じ環境下で、液晶ディスプレイの場合、強調しようとする部分の輝度を上げる代わりに、低い輝度にした部分はほとんど認識できなかった。目立たせようとする部分の外縁は、物理的に遮光されているので、バックライト式液晶ディスプレイよりも明確である。
【００３０】
なお、本考案は、上記各種実施形態の構成に限られず、考案の趣旨を変更しない範囲で種々の変形が可能である。例えば、ポスター４は、ポスター本体４ａが看板本体２の段２ｂに撓み少なく嵌合収納される場合には、ポスター保持板４ｂを省いても良い。
【００３１】
なお、本明細書において、ポスター４において、「強調しようとする部分のみ透光性を有し、他の部分は遮光処理されている」とは、使用時に、強調しようとしていない部分は遮光処理されていることを意味する。例えば、ポスター４において、看板本体２の段２ｂに嵌合収納される縁の部分、即ち、看者から見えない場所も含めて遮光処理されていることを必須要件とするものではない。
【産業上の利用可能性】
【００３２】
本考案の部分強調看板に用いるポスター４は、種々の形状及び形式の照明ユニット３を用いる既存の看板本体２に使用することができる。ポスター４は、強調しようとする部分のみ透光性を有し、他の部分は遮光処理されているので、例えば、日中、強調させようとする部分を非常に高いコントラストで目立たせることができと同時に、強調させない部分も周りの明るさによって十分に細かいところまで目視確認することができる。
【符号の説明】
【００３３】
1        部分強調看板
２      看板本体
３      照明ユニット
４      ポスター
４ａ、１０、１１、１２    ポスター本体
１０ｂ  遮光性の遮光シート
１１ａ、１２ａ  透光性の透明シート
４ｂ    ポスター保持板
５      透明保護カバー
【図１】
0003221219.tif 000003
【図２】
0003221219.tif 000004
【図３】
0003221219.tif 000005
【図４】
0003221219.tif 000006
【図５】
0003221219.tif 000007
【手続補正書】
【提出日】平成31年3月6日(2019.3.6)
【手続補正１】
【補正対象書類名】実用新案登録請求の範囲
【補正対象項目名】請求項５
【補正方法】変更
【補正の内容】
【請求項５】
前記ポスターは、遮光性の遮光シートの表面に、伝えようとする内容が印刷されており、かつ、前記シートの内、強調しようとする部分が除去されて開口が設けられている、請求項１に記載の部分強調看板。
【手続補正２】
【補正対象書類名】実用新案登録請求の範囲
【補正対象項目名】請求項１１
【補正方法】変更
【補正の内容】
【請求項１１】
遮光性の遮光シートの表面に、伝えようとする内容が印刷されており、かつ、前記シートの内、ポスターで強調しようとする部分が除去されて開口が設けられている、請求項７に記載のポスター。
【手続補正３】
【補正対象書類名】明細書
【補正対象項目名】００１０
【補正方法】変更
【補正の内容】
【００１０】
前記ポスターは、遮光性の遮光シートの表面に、伝えようとする内容が印刷されており、かつ、前記シートの内、強調しようとする部分が除去されて開口が設けられていることが好ましい。
【手続補正４】
【補正対象書類名】明細書
【補正対象項目名】００１５
【補正方法】変更
【補正の内容】
【００１５】
遮光性の遮光シートの表面に、伝えようとする内容が印刷されており、かつ、前記シートの内、ポスターで強調しようとする部分が除去されて開口が設けられていることが好ましい。